(57)【特許請求の範囲】
【請求項１】
起点局から光ファイバを接続して敷設する場合において、起点局側の光ファイバに新たに光ファイバを接続する際に、当該新たな光ファイバを接続する接続点と前記起点局との光学的距離を特定するための光学的距離情報を取得する距離情報取得手段と、
前記接続点の地理的位置を特定するための緯度経度情報を取得する位置情報取得手段と、
前記緯度経度情報及び前記光学的距離情報を関連付けて前記接続点の位置を特定するための接続点位置情報として位置情報格納手段に格納する位置情報生成手段と、
を備える位置特定システム。
【請求項２】
起点局から複数の単心又は多心の光ファイバを各接続点で接続して敷設した光線路に障害が発生した場合に、前記起点局から当該障害が発生した障害発生位置までの光学的距離を取得する距離情報取得手段と、
前記光ファイバの各接続点の中から、前記障害発生位置よりも前記起点局側であって前記障害発生位置に最も近接してるか又は一致している第１の近接接続点と、前記障害発生位置を挟んで前記起点局とは反対側であって前記障害発生位置に最も近接してるか又は一致している第２の近接接続点とをそれぞれ特定する近接接続点特定手段と、
前記距離情報取得手段が取得した前記起点局から前記障害発生位置までの光学的距離及び予め位置情報格納手段に格納されている前記起点局から前記第１の近接接続点及び前記第２の近接接続点それぞれまでの光学的距離と、予め前記位置情報格納手段に格納されている前記第１の近接接続点及び前記第２の近接接続点それぞれの地理的位置を特定するための緯度経度情報とに基づいて前記障害発生位置の地理的位置を特定する障害発生位置特定手段と、
を備える位置特定システムであって、
前記障害発生位置特定手段は、
前記起点局から前記障害発生位置までの光学的距離と、予め位置情報格納手段に格納されている前記起点局から前記第１の近接接続点及び前記第２の近接接続点それぞれまでの光学的距離とに基づいて、前記障害発生位置から前記第１の近接接続点までの光学的距離と、前記障害発生位置から前記第２の近接接続点までの光学的距離との比を算出し、
当該算出した光学的距離の比と、予め前記位置情報格納手段に格納されている前記第１の近接接続点及び前記第２の近接接続点それぞれの地理的位置を特定するための緯度経度情報とに基づいて前記障害発生位置の地理的位置を特定する位置特定システム。
【請求項３】
コンピュータを、
起点局から光ファイバを接続して敷設する場合において、起点局側の光ファイバに新たに光ファイバを接続する際に、当該新たな光ファイバを接続する接続点と前記起点局との光学的距離を特定するための光学的距離情報を取得する距離情報取得手段と、
前記接続点の地理的位置を特定するための緯度経度情報を取得する位置情報取得手段と、
前記緯度経度情報及び前記光学的距離情報を関連付けて前記接続点の位置を特定するための接続点位置情報として位置情報格納手段に格納する位置情報生成手段と、
して機能させるための位置特定プログラム。
【請求項４】
コンピュータを、
起点局から複数の単心又は多心の光ファイバを各接続点で接続して敷設した光線路に障害が発生した場合に、前記起点局から当該障害が発生した障害発生位置までの光学的距離を取得する距離情報取得手段と、
前記光ファイバの各接続点の中から、前記障害発生位置よりも前記起点局側であって前記障害発生位置に最も近接してるか又は一致している第１の近接接続点と、前記障害発生位置を挟んで前記起点局とは反対側であって前記障害発生位置に最も近接してるか又は一致している第２の近接接続点とをそれぞれ特定する近接接続点特定手段と、
前記距離情報取得手段が取得した前記起点局から前記障害発生位置までの光学的距離及び予め位置情報格納手段に格納されている前記起点局から前記第１の近接接続点及び前記第２の近接接続点それぞれまでの光学的距離と、予め前記位置情報格納手段に格納されている前記第１の近接接続点及び前記第２の近接接続点それぞれの地理的位置を特定するための緯度経度情報とに基づいて前記障害発生位置の地理的位置を特定する障害発生位置特定手段と、
して機能させるための位置特定プログラムであって、
前記障害発生位置特定手段は、
前記起点局から前記障害発生位置までの光学的距離と、予め位置情報格納手段に格納されている前記起点局から前記第１の近接接続点及び前記第２の近接接続点それぞれまでの光学的距離とに基づいて、前記障害発生位置から前記第１の近接接続点までの光学的距離と、前記障害発生位置から前記第２の近接接続点までの光学的距離との比を算出し、
当該算出した光学的距離の比と、予め前記位置情報格納手段に格納されている前記第１の近接接続点及び前記第２の近接接続点それぞれの地理的位置を特定するための緯度経度情報とに基づいて前記障害発生位置の地理的位置を特定する位置特定プログラム。
【請求項５】
起点局から光ファイバを接続して敷設する場合において、起点局側の光ファイバに新たに光ファイバを接続する際に、距離情報取得手段が、当該新たな光ファイバを接続する接続点と前記起点局との光学的距離を特定するための光学的距離情報を取得する距離情報取得ステップと、
位置情報取得手段が、前記接続点の地理的位置を特定するための緯度経度情報を取得する位置情報取得ステップと、
位置情報生成手段が、前記緯度経度情報及び前記光学的距離情報を関連付けて前記接続点の位置を特定するための接続点位置情報として位置情報格納手段に格納する位置情報生成ステップと、
を含む位置特定方法。
【請求項６】
起点局から複数の単心又は多心の光ファイバを各接続点で接続して敷設した光線路に障害が発生した場合に、距離情報取得手段が、前記起点局から当該障害が発生した障害発生位置までの光学的距離を取得する距離情報取得ステップと、
近接接続点特定手段が、前記光ファイバの各接続点の中から、前記障害発生位置よりも前記起点局側であって前記障害発生位置に最も近接してるか又は一致している第１の近接接続点と、前記障害発生位置を挟んで前記起点局とは反対側であって前記障害発生位置に最も近接してるか又は一致している第２の近接接続点とをそれぞれ特定する近接接続点特定ステップと、
障害発生位置特定手段が、前記距離情報取得手段が取得した前記起点局から前記障害発生位置までの光学的距離及び予め位置情報格納手段に格納されている前記起点局から前記第１の近接接続点及び前記第２の近接接続点それぞれまでの光学的距離と、予め前記位置情報格納手段に格納されている前記第１の近接接続点及び前記第２の近接接続点それぞれの地理的位置を特定するための緯度経度情報とに基づいて前記障害発生位置の地理的位置を特定する障害発生位置特定ステップと、
を含む位置特定方法であって、
前記障害発生位置特定ステップにおいて前記障害発生位置特定手段は、
前記起点局から前記障害発生位置までの光学的距離と、予め位置情報格納手段に格納されている前記起点局から前記第１の近接接続点及び前記第２の近接接続点それぞれまでの光学的距離とに基づいて、前記障害発生位置から前記第１の近接接続点までの光学的距離と、前記障害発生位置から前記第２の近接接続点までの光学的距離との比を算出し、
当該算出した光学的距離の比と、予め前記位置情報格納手段に格納されている前記第１の近接接続点及び前記第２の近接接続点それぞれの地理的位置を特定するための緯度経度情報とに基づいて前記障害発生位置の地理的位置を特定する位置特定方法。
【発明の詳細な説明】
【０００１】
【発明の属する技術分野】
本発明は、光ファイバを接続して敷設した光線路上の位置を特定する、位置特定システム、位置特定プログラム、及び、位置特定方法に関するものである。
【０００２】
【従来の技術】
光ファイバを融着接続して敷設した光線路上の位置を特定するための装置としては、ＯＴＤＲ（Ｏｐｔｉｃａｌ  Ｔｉｍｅ  Ｄｏｍａｉｎ  Ｒｅｆｌｅｃｔｍｅｔｅｒ）といった光パルス試験器がある。この光パルス試験器は、光線路を構成する光ファイバの一端から試験光として光パルスを入射し、光ファイバ長手方向の各点で反射されて入射端に戻ってくる後方散乱光の光パワーの距離分布を解析することによって、光ファイバの損失、光ファイバの接続点までの距離と接続損失及び接続点で生じた反射量、光ファイバが破断した場合の破断点までの距離を測定する。
【０００３】
【発明が解決しようとする課題】
ところで、光ファイバを融着接続する場合に、融着の程度によってはその接続点での損失が極めて少ない場合がある。従来の光パルス試験器は、接続点の損失を検出することによって接続点までの光学的距離を測定するが、接続点での融着の程度が良好で損失が極めて少ない場合にはその接続点までの光学的距離が正確に測定できない場合がある。
【０００４】
また、光線路上に障害が発生した場合には、光パルス試験器を用いてその障害が発生した障害発生位置までの光学的距離を測定し、その測定した光学的距離に基づいて光線路を構成する光ファイバの設計情報や地図などを参照し、実際の障害発生位置を特定する。しかしながら、光線路を構成する各光ファイバには設計長に対して余長が設けられており、光ファイバの設計情報に基づいて障害発生位置を特定すると誤差が生じる場合がある。このような誤差を解消するために、各接続点の位置を推定し、その接続点までの光学的距離を用いて誤差を修正する作業を行っていたが、上述のように接続点までの光学的距離が正確に測定できないことから的確に障害発生位置を特定することは困難であった。
【０００５】
そこで本発明では、起点局から複数の単心又は多心の光ファイバを各接続点で接続して敷設した場合の接続点の位置や、光ファイバに障害が発生した場合の障害発生位置をより的確に特定する、位置特定システム、位置特定プログラム、及び、位置特定方法を提供することを課題とする。
【０００６】
【課題を解決するための手段】
本発明の位置特定システムは、起点局から光ファイバを接続して敷設する場合において、起点局側の光ファイバに新たに光ファイバを接続する際に、当該新たな光ファイバを接続する接続点と起点局との光学的距離を特定するための光学的距離情報を取得する距離情報取得手段と、接続点の地理的位置を特定するための緯度経度情報を取得する位置情報取得手段と、緯度経度情報及び光学的距離情報を関連付けて接続点の位置を特定するための接続点位置情報として位置情報格納手段に格納する位置情報生成手段と、を備える。
【０００７】
本発明の位置特定プログラムは、コンピュータを、起点局から光ファイバを接続して敷設する場合において、起点局側の光ファイバに新たに光ファイバを接続する際に、当該新たな光ファイバを接続する接続点と起点局との光学的距離を特定するための光学的距離情報を取得する距離情報取得手段と、接続点の地理的位置を特定するための緯度経度情報を取得する位置情報取得手段と、緯度経度情報及び光学的距離情報を関連付けて接続点の位置を特定するための接続点位置情報として位置情報格納手段に格納する位置情報生成手段と、して機能させる。
【０００８】
本発明の位置特定方法は、起点局から光ファイバを接続して敷設する場合において、起点局側の光ファイバに新たに光ファイバを接続する際に、距離情報取得手段が、当該新たな光ファイバを接続する接続点と起点局との光学的距離を特定するための光学的距離情報を取得する距離情報取得ステップと、位置情報取得手段が、接続点の地理的位置を特定するための緯度経度情報を取得する位置情報取得ステップと、位置情報生成手段が、緯度経度情報及び光学的距離情報を関連付けて接続点の位置を特定するための接続点位置情報として位置情報格納手段に格納する位置情報生成ステップと、を含む。
【０００９】
本発明の位置特定システム及び位置特定方法によれば、距離情報取得手段が、起点局側の光ファイバに新たに光ファイバを接続する際にその接続点と起点局との光学的距離情報を取得するので、各接続点までの光学的距離情報をより的確に取得できる。位置情報生成手段が、距離情報取得手段が取得した各接続点の光学的距離情報と位置情報取得手段が取得した各接続点の緯度経度情報とを関連付けて位置情報格納手段に格納するので、各接続点の実際の位置をより的確に把握できる。また、コンピュータを用いて本発明の位置特定プログラムを実行しても同様の作用を奏する。
【００１０】
本発明の位置特定システムは、起点局から複数の単心又は多心の光ファイバを各接続点で接続して敷設した光線路に障害が発生した場合に、起点局から当該障害が発生した障害発生位置までの光学的距離を取得する距離情報取得手段と、光ファイバの各接続点の中から、障害発生位置よりも起点局側であって障害発生位置に最も近接してるか又は一致している第１の近接接続点と、障害発生位置を挟んで起点局とは反対側であって障害発生位置に最も近接してるか又は一致している第２の近接接続点とをそれぞれ特定する近接接続点特定手段と、距離情報取得手段が取得した起点局から障害発生位置までの光学的距離及び予め位置情報格納手段に格納されている起点局から第１の近接接続点及び第２の近接接続点それぞれまでの光学的距離と、予め位置情報格納手段に格納されている第１の近接接続点及び第２の近接接続点それぞれの地理的位置を特定するための緯度経度情報とに基づいて障害発生位置の地理的位置を特定する障害発生位置特定手段と、を備える。
【００１１】
本発明の位置特定プログラムは、コンピュータを、起点局から複数の単心又は多心の光ファイバを各接続点で接続して敷設した光線路に障害が発生した場合に、起点局から当該障害が発生した障害発生位置までの光学的距離を取得する距離情報取得手段と、光ファイバの各接続点の中から、障害発生位置よりも起点局側であって障害発生位置に最も近接してるか又は一致している第１の近接接続点と、障害発生位置を挟んで起点局とは反対側であって障害発生位置に最も近接してるか又は一致している第２の近接接続点とをそれぞれ特定する近接接続点特定手段と、距離情報取得手段が取得した起点局から障害発生位置までの光学的距離及び予め位置情報格納手段に格納されている起点局から第１の近接接続点及び第２の近接接続点それぞれまでの光学的距離と、予め位置情報格納手段に格納されている第１の近接接続点及び第２の近接接続点それぞれの地理的位置を特定するための緯度経度情報とに基づいて障害発生位置の地理的位置を特定する障害発生位置特定手段と、して機能させる。
【００１２】
本発明の位置特定方法は、起点局から複数の単心又は多心の光ファイバを各接続点で接続して敷設した光線路に障害が発生した場合に、距離情報取得手段が、起点局から当該障害が発生した障害発生位置までの光学的距離を取得する距離情報取得ステップと、近接接続点特定手段が、光ファイバの各接続点の中から、障害発生位置よりも起点局側であって障害発生位置に最も近接してるか又は一致している第１の近接接続点と、障害発生位置を挟んで起点局とは反対側であって障害発生位置に最も近接してるか又は一致している第２の近接接続点とをそれぞれ特定する近接接続点特定ステップと、障害発生位置特定手段が、距離情報取得手段が取得した起点局から障害発生位置までの光学的距離及び予め位置情報格納手段に格納されている起点局から第１の近接接続点及び第２の近接接続点それぞれまでの光学的距離と、予め位置情報格納手段に格納されている第１の近接接続点及び第２の近接接続点それぞれの地理的位置を特定するための緯度経度情報とに基づいて障害発生位置の地理的位置を特定する障害発生位置特定ステップと、を含む。
【００１３】
本発明の位置特定システム及び位置特定方法によれば、起点局から障害発生位置までの光学的距離と、起点局から障害発生位置に最も近接してるか又は一致している光ファイバの接続点である第１の近接接続点及び第２の近接接続点までの光学的距離とを利用するので、第１の近接接続点及び第２の近接接続点に対する障害発生位置の相対的な位置関係が把握できる。例えば、起点局から障害発生位置までの光学的距離から第１の近接接続点までの光学的距離を差し引いて、起点局から第２の近接接続点までの光学的距離から第１の近接接続点までの光学的距離を差し引いたものと対比させれば、障害発生位置が第１の近接接続点及び第２の近接接続点の間のどの付近にあるかが把握できる。このように、障害発生位置が第１の近接接続点及び第２の近接接続点の間のどの付近にあるかが把握できれば、起点局から第１の近接接続点までの光線路の設計余長に起因する誤差を排除できる。また、第１の近接接続点及び第２の近接接続点の地理的位置は予め位置情報格納手段に格納されているので、障害発生位置の第１の近接接続点及び第２の近接接続点に対する相対的な位置関係が把握できれば、障害発生位置の地理的位置が算出できる。また、コンピュータを用いて本発明の位置特定プログラムを実行しても同様の作用を奏する。
【００１４】
また本発明の位置特定システムでは、障害発生位置特定手段が、起点局から障害発生位置までの光学的距離と、予め位置情報格納手段に格納されている起点局から第１の近接接続点及び第２の近接接続点それぞれまでの光学的距離とに基づいて、障害発生位置から第１の近接接続点までの光学的距離と、障害発生位置から第２の近接接続点までの光学的距離との比を算出し、当該算出した光学的距離の比と、予め位置情報格納手段に格納されている第１の近接接続点及び第２の近接接続点それぞれの地理的位置を特定するための緯度経度情報とに基づいて障害発生位置の地理的位置を特定するようにしてもよい。障害発生位置から第１の近接接続点までの光学的距離と、障害発生位置から第２の近接接続点までの光学的距離との比を算出すると、その算出した比に応じて第１の近接接続点の地理的位置と第２の近接接続点の地理的位置との差分を分割できるので、障害発生位置の地理的位置を算出できる。
【００１５】
また本発明の位置特定プログラムでは、障害発生位置特定手段が、起点局から障害発生位置までの光学的距離と、予め位置情報格納手段に格納されている起点局から第１の近接接続点及び第２の近接接続点それぞれまでの光学的距離とに基づいて、障害発生位置から第１の近接接続点までの光学的距離と、障害発生位置から第２の近接接続点までの光学的距離との比を算出し、当該算出した光学的距離の比と、予め位置情報格納手段に格納されている第１の近接接続点及び第２の近接接続点それぞれの地理的位置を特定するための緯度経度情報とに基づいて障害発生位置の地理的位置を特定するようにしてもよい。障害発生位置から第１の近接接続点までの光学的距離と、障害発生位置から第２の近接接続点までの光学的距離との比を算出すると、その算出した比に応じて第１の近接接続点の地理的位置と第２の近接接続点の地理的位置との差分を分割できるので、障害発生位置の地理的位置を算出できる。
【００１６】
また本発明の位置特定方法では、障害発生位置特定ステップにおいて障害発生位置特定手段が、起点局から障害発生位置までの光学的距離と、予め位置情報格納手段に格納されている起点局から第１の近接接続点及び第２の近接接続点それぞれまでの光学的距離とに基づいて、障害発生位置から第１の近接接続点までの光学的距離と、障害発生位置から第２の近接接続点までの光学的距離との比を算出し、当該算出した光学的距離の比と、予め位置情報格納手段に格納されている第１の近接接続点及び第２の近接接続点それぞれの地理的位置を特定するための緯度経度情報とに基づいて障害発生位置の地理的位置を特定するようにしてもよい。障害発生位置から第１の近接接続点までの光学的距離と、障害発生位置から第２の近接接続点までの光学的距離との比を算出すると、その算出した比に応じて第１の近接接続点の地理的位置と第２の近接接続点の地理的位置との差分を分割できるので、障害発生位置の地理的位置を算出できる。
【００１７】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１８】
本発明の実施形態である位置特定システム１０について図１を用いて説明する。図１は位置特定システム１０の構成を示した図である。本実施形態の場合は、起点局２０から順に光ファイバ５０、光ファイバ５１、光ファイバ５２、光ファイバ５３を接続している例を用いている。光ファイバ５０は一端が起点局２０に接続されており、他端は接続点４０において光ファイバ５１と融着接続されている。同様に光ファイバ５１は、接続点４０において光ファイバ５０と、接続点４１において光ファイバ５２と、それぞれ融着接続されており、光ファイバ５２は、接続点４１において光ファイバ５１と、接続点４２において光ファイバ５３とそれぞれ融着接続されている。
【００１９】
起点局２０には、光パルス試験部２０１及び送受信部２０２が設けられている。光パルス試験部２０１は、ＯＴＤＲ（Ｏｐｔｉｃａｌ  Ｔｉｍｅ  Ｄｏｍａｉｎ  Ｒｅｆｌｅｃｔｍｅｔｅｒ）を含んで構成されている。光パルス試験部２０１は、光ファイバ５０の一端から光パルスを入射し、光ファイバ５０〜５３の長手方向の各点で反射されて入射端に戻ってくる後方散乱光の光パワーの距離分布を解析することによって、光ファイバ５０〜５３の損失、光ファイバ５０〜５３の接続点４０〜４２までの距離と接続損失及び接続点４０〜４２で生じた反射量、光ファイバ５０〜５３が破断した場合の破断点までの距離を測定する。
【００２０】
起点局２０の送受信部２０２は、ＧＰＳ測定装置３０及び位置特定システム１０とそれぞれ通信可能なように構成されている。送受信部２０２は、位置特定システム１０及びＧＰＳ測定装置３０と、有線通信網や無線通信網を介して通信可能なように構成されている。送受信部２０２は、ＧＰＳ測定装置３０からの測定指示信号を受信し、その受信した測定指示信号を光パルス試験部２０１に出力する。この測定指示信号には、ＧＰＳ測定装置３０が測定したＧＰＳ測定装置３０の現在位置の緯度及び経度といった地理的位置を特定するための緯度経度情報が含ませてもよい。光パルス試験部２０１は送受信部２０２が出力した測定指示信号に基づいて光ファイバ５０に試験光として光パルスを入射する。光パルス試験部２０１は入射した試験光に対する後方散乱光を検出し、後方散乱光の光パワーの距離分布を解析することによって接続点までの光学的距離を測定し、その測定した光学的距離を送受信部２０２に出力する。送受信部２０２はその光学的距離を、緯度経度情報が測定指示信号に含まれていればその緯度経度情報と共に位置特定システム１０に送信する。
【００２１】
ＧＰＳ測定装置３０は、光ファイバを敷設する者が携帯する装置であり、光ファイバを融着接続する際にその接続する位置を特定するために用いられる装置である。ＧＰＳ測定装置３０は物理的には、ＣＰＵ（中央処理装置）、メモリ、マウスやキーボードといった入力装置、ディスプレイといった表示装置、ハードディスクといった格納装置、モデムといった通信装置などを備えたパーソナルコンピュータと、ＰＨＳ（Ｐｅｒｓｏｎａｌ  Ｈａｎｄｙｐｈｏｎｅ  Ｓｙｓｔｅｍ）端末と、ＧＰＳ（Ｇｌｏｂａｌ  Ｐｏｓｉｔｉｏｎｉｎｇ  Ｓｙｓｔｅｍ）レシーバとを含んで構成される。また、ＰＨＳ端末に代えて、携帯電話機や無線ＬＡＮ等の端末を用いてもよい。ＧＰＳ測定装置３０は機能的には、測位部３０１と送受信部３０２とを含んで構成される。
【００２２】
測位部３０１は、ＧＰＳ測定装置３０の現在位置の緯度及び経度を測定する部分である。より具体的には、測位部３０１は、高度２００００キロメートルの６つの円軌道に４つずつ配されたＧＰＳ衛星からの電波を利用し、緯度、経度、高度などを割り出す部分である。測位部３０１は測定した緯度及び経度を特定するための緯度経度情報を送受信部３０２に出力する。
【００２３】
送受信部３０２は、測位部３０１が測定したＧＰＳ測定装置３０の現在位置の緯度及び経度を特定するための緯度経度情報を位置特定システム１０に送信する部分である。送受信部３０２はまた、測位部３０１が現在位置を測定すると起点局２０に対して、起点局２０の光パルス試験部２０１が光学的距離を測定するための光パルスを光ファイバ５０に挿入するように指示する情報を測定指示信号として送信する。この測定指示信号には緯度経度情報を含ませてもよい。
【００２４】
位置特定システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。位置特定システム１０は、起点局２０及びＧＰＳ測定装置３０と通信可能なように構成されている。
【００２５】
位置測定システム１０は機能的な構成要素として、位置情報取得部（位置情報取得手段）１０１と、位置情報生成部（位置情報生成手段）１０２と、距離情報取得部（距離情報取得手段）１０３と、近接接続点特定部（近接接続点特定手段）１０４と、障害発生位置特定部（障害発生位置特定手段）１０５と、表示部１０６と、位置情報格納部（位置情報格納手段）１０９とを備えて構成される。引き続いて、各構成要素について詳細に説明する。
【００２６】
位置情報取得部１０１は、光ファイバ５０〜５３の各接続点４０〜４２の緯度及び経度を特定するための緯度経度情報を取得する部分である。より具体的には、光ファイバ５０〜５３を接続する際にそれぞれの接続点４０〜４２に配置されたＧＰＳ測定装置３０が測定した各接続点４０〜４２の緯度経度情報を受信して取得する部分である。位置情報取得部１０１は取得した緯度経度情報を位置情報生成部１０２に出力する。
【００２７】
距離情報取得部１０３は、起点局２０から光ファイバ５０〜５３を接続して敷設する場合において、起点局２０側の光ファイバ（例えば光ファイバ５０）に新たに光ファイバ（例えば光ファイバ５１）を接続する際に、この新たな光ファイバ（例えば光ファイバ５１）を接続する接続点（例えば接続点４０）と起点局２０との光学的距離を特定するための光学的距離情報を接続点（例えば接続点４０）の緯度経度情報と共に受信して取得する部分である。距離情報取得部１０３は取得した光学的距離情報と緯度経度情報とを位置情報生成部１０２に出力する。
【００２８】
起点局２０から各接続点４０〜４２までの光学的距離の測定方法について図２（ａ）、図２（ｂ）、図２（ｃ）を用いて説明する。図２（ａ）は、光ファイバ５０に光ファイバ５１を融着接続する際の後方散乱光レベルと光学的距離とを対応させた図である。図２（ａ）によれば、光ファイバ５０と光ファイバ５１との接続点４０に対応した対応点４０ａでは後方散乱光レベルが落ち込んでいる。光ファイバ５１を接続する前においては、この対応点４０ａにおいて後方散乱光レベルが０に落ち込んでいることが推測される。従って、この対応点４０ａに対応する光学的距離ＬAが起点局２０から接続点４０までの光学的距離となる。
【００２９】
図２（ｂ）は、光ファイバ５１に光ファイバ５２を融着接続する際の後方散乱光レベルと光学的距離とを対応させた図である。図２（ｂ）によれば、図２（ａ）と異なり、光ファイバ５１と光ファイバ５２との接続点４１に対応した対応点４１ａでは後方散乱光レベルの落ち込みが見られない。これは、接続点４１での光ファイバ５１と光ファイバ５２との融着の程度がよいためである。しかしながら、図２（ａ）を参照すれば、光ファイバ５２を光ファイバ５１に融着接続する前においては、対応点４１ａで後方散乱光レベルが０に落ち込んでいる。そこで、光ファイバ５２を融着する直前に後方散乱光レベルを測定すれば、接続点４１までの光学的距離が取得できる。
【００３０】
図２（ｃ）は、光ファイバ５２に光ファイバ５３を融着接続した際の後方散乱光レベルと光学的距離とを対応させた図である。このように光ファイバ５０〜５３を融着接続した後に最も起点局２０よりの光ファイバ５０の一端から試験光を入射して後方散乱光を測定すると、対応点４０ａ及び対応点４０ｃのように、後方散乱光レベルの落ち込みが見られる部分についてはその部分が接続点であると推測できるが、対応点４０ｂのように後方散乱光レベルの落ち込みが見られない部分については後からその部分が接続点であると推測することは難しいが、既に説明したように各光ファイバ５０〜５３を融着接続する際に対応点４０ａ〜４２ａを特定すれば、起点局２０から各接続点４０〜４２までの光学的距離がより正確に把握できる。
【００３１】
距離情報取得部１０３はまた、敷設された後の光ファイバ５０〜５３に断線等の障害が発生した場合に、起点局２０からその障害が発生した障害発生位置までの光学的距離を特定するための光学的距離情報として取得する。障害発生位置までの光学的距離の取得方法について図３（ａ）及び図３（ｂ）を用いて説明する。図３（ａ）は、各光ファイバを敷設した後の後方散乱光レベルを示した図である。各光ファイバに障害が発生しなければ、図３（ａ）に示すように、接続点４０及び接続点４２に対応した対応点４０ａ及び対応点４２ａにおける局部的な段差を除いて後方散乱光レベルがほぼ線形に低減している。ここで、接続点４１及び接続点４２の間の光ファイバ５２に断線等の障害が発生すると、図３（ｂ）に示すようにその障害発生位置６０に対応する対応点６０ａにおいて後方散乱光レベルがほぼ０に落ち込む。従って、対応点６０ａの光学的距離Ｌが起点局２０から障害発生位置６０までの光学的距離であるとすることができる。距離情報取得部１０３は、起点局２０から受信した障害発生位置６０までの光学的距離Ｌを光学的距離情報として近接接続点特定部１０４に出力する。
【００３２】
位置情報生成部１０２は、位置情報取得部１０１から出力された緯度経度情報及び距離情報取得部１０３から出力された光学的距離情報を関連付けて各接続点４０〜４２を特定するための接続点位置情報として位置情報格納部１０９に格納する部分である。より具体的には、位置情報取得部１０１から出力された緯度経度情報と同一の緯度経度情報と共に出力された光学的距離情報とを関連付けて接続点ＩＤを付して位置情報格納部１０９に格納する。例えば、接続点４０であれば、接続点ＩＤ「Ａ」と、光学的距離情報としての起点局２０から接続点４０までの光学的距離ＬAメートルと、緯度経度情報としての接続点４０の緯度ＡLAT及び経度ＡLONと対応させて位置情報格納部１０９に格納する。
【００３３】
位置情報格納部１０９に格納される情報の例を図４に示す。図４に示す例によれば、「接続点ＩＤ」と、「接続点名」と、「光学的距離」と、「緯度、経度」とがそれぞれ対応されて格納されている。より具体的には、起点局２０及び接続点４０〜４２にそれぞれ対応する「接続点ＩＤ」及び「緯度、経度」が格納されており、「光学的距離」は起点局２０を基準にして測定された光学的距離が格納されている。従って、起点局２０に対応する光学的距離は０となっている。このように起点局２０についての情報も格納してあるのは、光ファイバ５０〜５３に障害が発生した場合の障害発生位置の特定に用いるためであり、障害発生位置の特定の方法については後述する。
【００３４】
近接接続点特定部１０４は、敷設された後の光ファイバ５０〜５３に断線等の障害が発生した場合に、光ファイバ５０〜５３の各接続点４０〜４２の中から、障害発生位置よりも起点局２０側であって障害発生位置に最も近接してるか又は一致している第１の近接接続点と、障害発生位置を挟んで起点局２０とは反対側であって障害発生位置に最も近接してるか又は一致している第２の近接接続点とをそれぞれ特定する部分である。例えば、光ファイバ５２に障害が発生した場合には接続点４１を第１の近接接続点として、接続点４２を第２の近接接続点としてそれぞれ特定する。
【００３５】
より具体的には、近接接続点特定部１０４は、位置情報格納手段１０９に格納されている起点局２０及び各接続点４０〜４２の光学的距離と、起点局２０から障害発生位置６０までの光学的距離との差をとって、その差が最も小さい起点局２０又は接続点４０〜４２と、２番目に小さい起点局２０又は接続点４０〜４２とを特定する。例えば、光ファイバ５２に障害発生位置６０があれば、接続点４１と接続点４２とを特定する。そして、起点局２０に近いほうの接続点４１を第１の近接接続点として、接続点４２を第２の近接接続点として特定する。
【００３６】
障害発生位置特定部１０５は、距離情報取得部１０３が取得した起点局２０から障害発生位置６０までの光学的距離を特定するための光学的距離情報及び予め位置情報格納部１０９に格納されている起点局２０から第１の近接接続点及び第２の近接接続点それぞれまでの光学的距離を特定するための光学的距離情報と、予め位置情報格納部１０９に格納されている第１の近接接続点及び第２の近接接続点それぞれの緯度及び経度を特定するための緯度経度情報とに基づいて障害発生位置６０の緯度及び経度を特定する部分である。
【００３７】
障害発生位置６０が光ファイバ５２上であるとすると、より具体的には、起点局２０から障害発生位置６０までの光学的距離Ｌと、予め位置情報格納部１０９に格納されている起点局２０から第１の近接接続点としての接続点４１までの光学的距離ＬB及び起点局２０から第２の近接接続点としての接続点４２までの光学的距離ＬCとに基づいて、障害発生位置６０から第１の近接接続点としての接続点４１までの光学的距離Ｌ−ＬBと、障害発生位置６０から第２の近接接続点としての接続点４２までの光学的距離ＬC−Ｌとの比（Ｌ−ＬB）／（ＬC−Ｌ）を算出する。この算出した光学的距離の比（Ｌ−ＬB）／（ＬC−Ｌ）と、予め位置情報格納部１０９に格納されている第１の近接接続点としての接続点４１の緯度及び経度を特定するための緯度経度情報（ＢLAT、ＢLON）及び第２の近接接続点としての接続点４２の緯度及び経度を特定するための緯度経度情報（ＣLAT、ＣLON）とに基づいて障害発生地位置６０の緯度及び経度を特定する。
【００３８】
表示部１０６は、起点局２０、光ファイバ５０〜５３、接続点４０〜４２、及び、障害発生位置６０といった情報を表示する部分である。表示部１０６に表示される情報の例を図５に示す。図５に示すように表示部１０６は、該当する地域の地図情報に重ねて、起点局２０、光ファイバ５０〜５３、接続点４０〜４２、及び、障害発生位置６０といった位置を特定する表示を行う。
【００３９】
引き続いて、位置特定システム１０を用いて、接続点４０〜４２の位置特定情報を格納する方法について説明する。図６は、位置特定システム１０を用いて位置特定情報を格納する方法を示したフローチャートである。
【００４０】
まず光ファイバを敷設する者がＧＰＳ測定装置３０を持参して、光ファイバの融着接続予定点に向かう。例えば、図１を参照すると、起点局２０から光ファイバ５２まで敷設が終わっている場合に、光ファイバ５３を敷設する者がＧＰＳ測定装置３０を持参して接続点４２に向かう。接続点４２に到着すると、ＧＰＳ測定装置３０を利用して、接続点４２の緯度及び経度を取得する（ステップＳ０１）。具体的には、ＧＰＳ測定装置３０の測位部３０１が現在位置の緯度及び経度を取得して送受信部３０２に出力する。
【００４１】
ＧＰＳ測定装置３０の送受信部３０２は、位置特定システム１０に接続点４２の緯度及び経度を特定するための緯度経度情報を送信する（ステップＳ０２）。位置特定システム１０の位置情報取得部１０１は、接続点４２の緯度経度情報を受信し、位置情報生成部１０２に出力する（ステップＳ０３）。
【００４２】
ＧＰＳ測定装置３０の送受信部３０２は、起点局２０に距離測定要求情報を送信する（ステップＳ０４）。距離測定要求情報には、ステップＳ０１で取得した緯度及び経度を特定するための緯度経度情報が含まれる。
【００４３】
ＧＰＳ測定装置３０の送受信部３０２が送信した距離測定要求情報は、起点局２０の送受信部２０２が受信する。送受信部２０２は光パルス試験部２０１に対して、現在の光線路の終端までの光学的距離を測定するように指示情報を出力する。光パルス試験部２０１は、光ファイバ５０に試験光を入射し、後方散乱光レベルを計測して現在の光線路の終端までの光学的距離を測定する（ステップＳ０５）。例えば、図２（ｂ）に示すような後方散乱光レベルを計測すれば、距離ＬCを現在の光線路の終端までの光学的距離として測定する。このように測定した光学的距離は、起点局２０から接続点４２までの光学的距離となる。光パルス試験部２０１は、測定した光学的距離を光学的距離情報として送受信部２０２に出力する。
【００４４】
起点局２０の送受信部２０２は、光パルス試験部２０１が測定した光学的距離と、ＧＰＳ測定装置３０から送信された緯度経度情報とを関連付けて位置特定システムに送信する（ステップＳ０６）。
【００４５】
位置特定システム１０の距離情報取得部１０３は、起点局２０から送信される光学的距離情報及びそれに対応する緯度経度情報を受信し、位置情報生成部１０２に出力する（ステップＳ０７）。
【００４６】
位置情報生成部１０２は、位置情報取得部１０１が受信した緯度経度情報と、距離情報取得部１０３が受信した光学的距離情報及びそれに対応する緯度経度情報とを照合し、双方の緯度経度情報が合致すれば、その緯度経度情報と光学的距離情報とを関連付けて位置情報格納部１０９に格納する（ステップＳ０８）。このように、位置情報取得部１０１が受信した緯度経度情報と距離情報取得部１０３が受信した光学的距離情報との整合性を確認すれば、例えば測定番号等の新たな整理番号を導入しなくても、ＧＰＳ測定装置３０が測定した緯度経度情報と起点局２０が測定した光学的距離とを関連付けて取得できる。なお、本実施形態ではＧＰＳ測定装置３０から起点局２０及び位置特定システム１０に対して緯度経度情報を送信しているが、ＧＰＳ測定装置３０が起点局２０にのみ緯度経度情報を送信し、起点局２０から位置特定システム１０に対して緯度経度情報及び光学的距離情報を送信するような簡易な態様を採用してもよい。このような態様の場合には、位置情報取得部１０１の役割を距離情報取得部１０３が兼ねることとなる。また、逆にＧＰＳ測定装置３０が位置特定システム１０にのみ緯度経度情報を送信してもよい。更に、整理ＩＤといった整理番号を導入してもよく、ＧＰＳ測定装置３０が緯度経度情報を送信した後に送信される光学的距離情報を、その緯度経度情報と関連付けるようにしてもよい。
【００４７】
引き続いて、位置特定システム１０を用いて、光ファイバ５０〜５３に障害が発生した場合の障害発生位置を特定する方法について説明する。図７は、位置特定システム１０を用いて障害発生位置を特定する方法を示したフローチャートである。
【００４８】
起点局２０の光パルス試験部２０１は、敷設された後の光ファイバ５０〜５３に定期的に試験光を入射して各光ファイバ５０〜５３を監視する。既に図３（ａ）及び図３（ｂ）を用いて説明したように、各光ファイバ５０〜５３に障害が発生しなければ、接続点４０及び接続点４２に対応した対応点４０ａ及び対応点４２ａにおける局部的な段差を除いて後方散乱光レベルがほぼ線形に低減している。ここで、接続点４１及び接続点４２の間の光ファイバ５２に断線等の障害が発生すると、その障害発生位置６０に対応する対応点６０ａにおいて後方散乱光レベルがほぼ０に落ち込む。光パルス試験部２０１は、後方散乱光レベルが極端に落ち込んだ点までの光学的距離Ｌを障害発生位置６０までの光学的距離として測定し、光学的距離情報として送受信部２０２に出力する（ステップＳ１１）。
【００４９】
起点局２０の送受信部２０２は、障害発生位置６０までの光学的距離Ｌを光学的距離情報として位置特定システム１０に送信する（ステップＳ１２）。
【００５０】
位置特定システム１０の距離情報取得部１０３は、障害発生位置６０までの光学的距離情報を受信し、近接接続点特定部１０４に出力する（ステップＳ１３）。本実施形態の場合距離情報取得部１０３は、起点局２０の送受信部２０２から緯度経度情報及び光学的距離情報を受信した場合には各接続点の位置情報を登録するものとしてその受信した情報を位置情報生成部１０２に出力し、送受信部２０２から光学的距離情報を受信した場合には障害発生位置を特定するものとしてその受信した情報を近接接続点特定部１０４に出力する。
【００５１】
近接接続点特定部１０４は、障害発生位置６０の光学的距離Ｌと、起点局２０及び各接続点４０〜４２の光学的距離との差分を算出し、障害発生位置６０から起点局２０及び各接続点４０〜４２までの光学的距離を算出する（ステップＳ１４）。近接接続点特定部１０４は、障害発生位置６０から起点局２０及び各接続点４０〜４２までの光学的距離に基づいて、障害発生位置６０に最も近い接続点を近接接続点として特定する（ステップＳ１５）。より具体的には近接接続点特定部１０４は、まず障害発生位置６０からの光学的距離が最も近い接続点と、２番目に近い接続点とを選択する。近接接続点特定部１０４は、その選択した２つの接続点の内、起点局２０に近いほうの接続点を第１の近接接続点として、起点局２０よりも遠いほうの接続点を第２の近接接続点として特定する。本実施形態の場合には、接続点４１が第１の近接接続点として、接続点４２が第２の近接接続点としてそれぞれ特定される。近接接続点特定部１０４は、特定した接続点の情報を障害発生位置特定部１０５に出力する。
【００５２】
障害発生位置特定部１０５は、第１の近接接続点から障害発生位置６０までの距離と、第２の近接接続点から障害発生位置６０までの距離との比を算出する（ステップＳ１６）。本実施形態の場合には障害発生位置特定部１０５は、Ｌ−ＬBとＬC−Ｌとの比を算出する。障害発生位置特定部１０５は、その算出した比に基づいて、障害発生位置６０の緯度及び経度を特定する（ステップＳ１７）。障害発生位置特定部１０５は、特定した障害発生位置６０の緯度及び経度を表示部１０６に出力する。
【００５３】
表示部１０６は、起点局２０、光ファイバ５０〜５３、及び、接続点４０〜４２の位置を示す情報と共に、障害発生位置６０の位置を示す情報を表示する（ステップＳ１８）。
【００５４】
次にコンピュータを、本実施形態の位置特定システム１０として機能させるための位置特定プログラム９２及びそれが記録されているコンピュータ読取可能な記録媒体９について説明する。図８は、位置特定プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００５５】
記録媒体９は、図８に示すように、プログラムを記録するプログラム領域９１と、データを記録するデータ領域９３とを備えている。データ領域９３には、図１を用いて説明した位置情報格納部１０９と同様の位置情報格納データベース９３１が格納されている。
【００５６】
プログラム領域９１には、位置特定プログラム９２が記録されている。位置特定プログラム９２は、処理を統括するメインモジュール９２１と、位置情報取得モジュール９２２と、位置情報生成モジュール９２３と、距離情報取得モジュール９２４と、近接接続点特定モジュール９２５と、障害発生位置特定モジュール９２６と、表示モジュール９２７とを備える。ここで、位置情報取得モジュール９２２、位置情報生成モジュール９２３、距離情報取得モジュール９２４、近接接続点特定モジュール９２５、障害発生位置特定モジュール９２６、表示モジュール９２７のそれぞれを動作させることによって実現する機能は、上記位置特定システム１０の位置情報取得部１０１、位置情報生成部１０２、距離情報取得部１０３、近接接続点特定部１０４、障害発生位置特定部１０５、表示部１０６のそれぞれの機能と同様である。
【００５７】
本実施形態の作用及び効果について説明する。距離情報取得部１０３が、起点局２０側の光ファイバ（例えば光ファイバ５２）に新たに光ファイバ（例えば光ファイバ５３）を接続する際にその接続点（例えば接続点４２）と起点局２０との光学的距離情報を取得するので、各接続点４０〜４２までの光学的距離情報をより的確に取得できる。位置情報生成部１０２が、距離情報取得部１０３が取得した各接続点４０〜４２の光学的距離情報と位置情報取得部１０１が取得した各接続点４０〜４２の緯度経度情報とを関連付けて位置情報格納部１０９に格納するので、各接続点４０〜４２の実際の位置をより的確に把握できる。
【００５８】
起点局２０から障害発生位置６０までの光学的距離と、起点局２０から障害発生位置６０に最も近接してるか又は一致している光ファイバの接続点である第１の近接接続点（接続点４１）及び第２の近接接続点（接続点４２）までの光学的距離とを利用するので、第１の近接接続点（接続点４１）及び第２の近接接続点（接続点４２）に対する障害発生位置６０の相対的な位置関係が把握できる。例えば、起点局２０から障害発生位置６０までの光学的距離から第１の近接接続点（接続点４１）までの光学的距離を差し引いて、起点局２０から第２の近接接続点（接続点４２）までの光学的距離から第１の近接接続点（接続点４１）までの光学的距離を差し引いたものと対比させれば、障害発生位置６０が第１の近接接続点（接続点４１）及び第２の近接接続点（接続点４２）の間のどの付近にあるかが把握できる。このように、障害発生位置６０が第１の近接接続点（接続点４１）及び第２の近接接続点（接続点４２）の間のどの付近にあるかが把握できれば、起点局２０から第１の近接接続点（接続点４１）までの光線路の設計余長に起因する誤差を排除できる。また、第１の近接接続点（接続点４１）及び第２の近接接続点（接続点４２）の緯度及び経度は予め位置情報格納部１０９に格納されているので、障害発生位置６０の第１の近接接続点（接続点４１）及び第２の近接接続点（接続点４２）に対する相対的な位置関係が把握できれば、障害発生位置６０の緯度及び経度が算出できる。
【００５９】
障害発生位置６０から第１の近接接続点（接続点４１）までの光学的距離と、障害発生位置から第２の近接接続点（接続点４２）までの光学的距離との比を算出すると、その算出した比に応じて第１の近接接続点（接続点４１）の緯度及び経度と第２の近接接続点（接続点４２）の緯度及び経度との差分を分割できるので、障害発生位置６０の緯度及び経度を算出できる。
【００６０】
【発明の効果】
本発明によれば、距離情報取得手段が、起点局側の光ファイバに新たに光ファイバを接続する際にその接続点と起点局との光学的距離情報を取得するので、各接続点までの光学的距離情報をより的確に取得できる。位置情報生成手段が、距離情報取得手段が取得した各接続点の光学的距離情報と位置情報取得手段が取得した各接続点の緯度経度情報とを関連付けて位置情報格納手段に格納するので、各接続点の実際の位置をより的確に把握できる。従って本発明の目的とする、起点局から複数の単心又は多心の光ファイバを各接続点で接続して敷設した場合の接続点の位置や、光ファイバに障害が発生した場合の障害発生位置をより的確に特定する、位置特定システム、位置特定プログラム、及び、位置特定方法を提供することができた。
【図面の簡単な説明】
【図１】本発明の実施形態である位置特定システムを説明するための図である。
【図２】図１の光パルス試験部が測定する後方散乱光レベルの例を示す図である。
【図３】図１の光パルス試験部が測定する後方散乱光レベルの例を示す図である。
【図４】図１の位置情報格納部が格納する情報の例を示す図である。
【図５】図１の表示部が表示する情報の例を示す図である。
【図６】本発明の実施形態である位置特定システムを用いて位置情報を格納する方法を示すフローチャートである。
【図７】本発明の実施携帯である位置特定システムを用いて位置を特定する方法を示すフローチャートである。
【図８】本発明の実施形態である位置特定プログラムを示す図である。
【符号の説明】
１０…位置特定システム、２０…起点局、３０…ＧＰＳ測定装置、１０１…位置情報取得部、１０２…位置情報生成部、１０３…距離情報取得部、１０４…近接接続点特定部、１０５…障害発生位置特定部、１０６…表示部、１０９…位置情報格納部、２０１…光パルス試験部、２０２…送受信部、３０１…測位部、３０２…送受信部、４０、４１、４２…接続部、５０、５１、５２、５３…光ファイバ、６０…障害発生位置。
【図１】
0003991696.tif 000002
【図２】
0003991696.tif 000003
【図３】
0003991696.tif 000004
【図４】
0003991696.tif 000005
【図５】
0003991696.tif 000006
【図６】
0003991696.tif 000007
【図７】
0003991696.tif 000008
【図８】
0003991696.tif 000009